(57)【要約】      （修正有）【課題】各種の前掛け眼鏡に適用される磁気固定部材を提供する。【解決手段】第１の結合部材１１と、第２の結合部材１２と、磁石１３とを含み、該第１の結合部材１１の頂面には凹溝１１１が設けられ、該磁石１３は凹溝１１１内に固着されている。該第１の結合部材１１及び第２の結合部材１２には相互に結合可能な外ねじ山１２２と内ねじ山１１３とがそれぞれ設けられている。磁気固定部材１０により眼鏡枠と眼鏡脚とを組み合わせることで、眼鏡に前掛けレンズを掛着可能にすることができる。【選択図】図１
0003208376.tif 000002
【実用新案登録請求の範囲】
【請求項１】
一方の側に軸孔を有するヒンジ部を含む眼鏡枠と眼鏡脚とを組み合わせるための磁気固定部材であって、第１の結合部材と、第２の結合部材と、磁石とを含み、前記第１の結合部材の頂面には凹溝が設けられ、前記磁石は前記凹溝内に固着されており、前記第１の結合部材及び第２の結合部材のいずれか一方は軸ロッドを含み、前記軸ロッドは、前記ヒンジ部の軸孔内に挿入可能でありかつ前記第１の結合部材及び第２の結合部材のいずれか他方と組み合わせることで、前記磁石は前記ヒンジ部の頂面に位置付けられ、前掛け眼鏡と結合されることを特徴とする各種の前掛け眼鏡に適用される磁気固定部材。
【請求項２】
前記第１の結合部材の底部にはねじ孔が設けられ、前記ねじ孔内には内ねじ山が設けられており、前記第２の結合部材には前記軸ロッドが設けられ、前記軸ロッドには前記内ねじ山と結合可能な外ねじ山が設けられていることを特徴とする請求項１に記載の各種の前掛け眼鏡に適用される磁気固定部材。
【請求項３】
前記第１の結合部材の底部には前記軸ロッドが設けられ、前記第２の結合部材は、ねじ孔を有するナットであり、前記軸ロッドには前記ねじ孔と結合可能な外ねじ山が設けられていることを特徴とする請求項１に記載の各種の前掛け眼鏡に適用される磁気固定部材。
【考案の詳細な説明】
【技術分野】
【０００１】
本考案は、各種の前掛け眼鏡に適用される磁気固定部材に関し、特に、一般の眼鏡のヒンジねじの代わりとして、眼鏡に前掛けレンズを掛着可能な機能を有するようにする磁気固定部材に関するものである。
【背景技術】
【０００２】
従来、前掛け型眼鏡は、主にメイン眼鏡と前掛けレンズとからなる。前掛けレンズは、遮光、偏光等の効果を有する機能性レンズであることが多い。屋外環境の光が強くまぶしい場合、前掛けレンズをメイン眼鏡の前方に掛着するだけで、メイン眼鏡の遮光機能を達成することができ、それに代わる別の眼鏡をかける必要はない。前掛けレンズの体積が小さくかつ重量が軽く、容易に身に着けて携帯できるため、使用上の利便性が高い。
【０００３】
前掛け眼鏡の構造は、メイン眼鏡と前掛けレンズに対応する箇所にそれぞれ磁石が設けられることが一般的である。当該２つの磁石の相互吸引により、前掛けレンズは、メイン眼鏡に対して組み合わせまたは分離することができる。しかしながら、使用時間の増加にしたがってメイン眼鏡に設けられた磁石は酸化、消磁し、さらには緩んで脱落することがある。磁石の磁気性がなくなった場合、前掛けレンズはメイン眼鏡と結合することができなくなる。また、メイン眼鏡に設けられた磁石の交換は難しくなる。
【考案の概要】
【考案が解決しようとする課題】
【０００４】
そこで、本考案は、各種の前掛け眼鏡に適用され、眼鏡枠と眼鏡脚とを組み合わせることで、眼鏡に前掛けレンズを掛着可能な機能を有し、状況不良な磁石を容易に交換可能にする磁気固定部材を提供することを目的とする。
【課題を解決するための手段】
【０００５】
本考案に係る磁気固定部材は、眼鏡枠と眼鏡脚とを組み合わせるためのものであり、該眼鏡枠の一方の側には軸孔を有するヒンジ部が設けられている。該磁気固定部材は、第１の結合部材と、第２の結合部材と、磁石とを含み、該第１の結合部材の頂面には凹溝が設けられ、該磁石は該凹溝内に固着されている。該第１の結合部材及び第２の結合部材のいずれか一方は軸ロッドを含み、該軸ロッドは、該ヒンジ部の軸孔内に挿入可能でありかつ該第１の結合部材及び第２の結合部材のいずれか他方と組み合わせることで、該磁石は前記ヒンジ部の頂面に位置付けられ、前掛け眼鏡と結合される。
【考案の効果】
【０００６】
本考案に係る磁気固定部材によれば、眼鏡枠と眼鏡脚とを組み合わせることができるため、眼鏡に前掛けレンズを掛着可能な機能を有し、又、一般の眼鏡の固着ねじに代わる機能を有するため、一般の眼鏡も前掛けレンズを掛着可能な効果を有する。
【図面の簡単な説明】
【０００７】
【図１】本考案に係る一実施例の磁気固定部材の分解模式図である。
【図２】本考案に係る磁気固定部材と眼鏡との組み合わせ模式図である。
【図３】本考案に係る磁気固定部材が前掛け眼鏡に適用される模式図である。
【図４】本考案に係る磁気固定部材が枠なし眼鏡に適用される模式図である。
【図５】本考案に係る磁気固定部材が薄枠眼鏡に適用される模式図である。
【図６】本考案に係る他の実施例の磁気固定部材の構造模式図である。
【考案を実施するための形態】
【０００８】
図１及び図２に示すように、本考案に係る磁気固定部材１０は、第１の結合部材１１と、第２の結合部材１２と、永久磁石１３とを含む。第１の結合部材１１の頂面には凹溝１１１が設けられ、第１の結合部材１１の底部にはねじ孔１１２が設けられ、ねじ孔１１２には内ねじ山１１３が設けられている。この実施例において、第２の結合部材１２は、軸ロッド１２１を含み、軸ロッド１２１の上には、内ねじ山１１３と結合可能な外ねじ山１２２が設けられている。磁石１３は、凹溝１１１内に固着されている。
【０００９】
磁気固定部材１０は、眼鏡枠２０３と眼鏡脚２０１とを含む従来の眼鏡２０に適用可能である。眼鏡枠２０３の一方の側には軸孔２０４を有するヒンジ部２０２が設けられており、眼鏡脚２０１の先端には、ヒンジ部２０２内に収容可能な枢接部２０５が設けられている。磁気固定部材１０の第２の結合部材１２が軸部材としてヒンジ部２０２の軸孔２０４と枢接部２０５とを通すとともに第１の結合部材１１をヒンジ部２０２の上端に収容することで、軸ロッド１２１の外ねじ山１２２は第１の結合部材１１の内ねじ山１１３と結合可能であり、このように眼鏡枠２０３と眼鏡脚２０１とを組み合わせることができる（図３参照）。磁気固定部材１０により眼鏡枠２０３と眼鏡脚２０１とを組み合わせた後、磁石１３が磁気固定部材１０の頂面に位置するため、眼鏡２０に前掛けレンズを掛着可能な効果を有する。
【００１０】
図３は、前掛けレンズ３０が眼鏡２０上に結合され、前掛け眼鏡として構成される様子を示す。前掛けレンズ３０の側縁には磁気固定部材１０の上方に対向する延長アーム３１が設けられ、延長アーム３１の底面には磁気部材３２が設けられている。磁気部材３２と磁石１３との磁気作用により、前掛けレンズ３０を眼鏡２０の眼鏡枠２０３の前方に容易に結合することができる。
【００１１】
磁気固定部材１０により眼鏡枠２０３と眼鏡脚２０１とを組み合わせた後、眼鏡２０に前掛けレンズ３０を掛着可能な機能を有するとともに、磁石１３が第１の結合部材１１に安定的に固着されるため、脱落することはない。さらに、第１の結合部材１１を交換するだけで状況不良な磁石を容易に交換することができる。また、磁気固定部材１０により従来の眼鏡、枠なし眼鏡または薄枠眼鏡等の眼鏡のヒンジねじを交換する場合、これらの眼鏡は、前掛けレンズを掛着可能な機能を有する。
【００１２】
図４は、本考案に係る磁気固定部材１０が枠なし眼鏡に適用される様子を示す。該枠なし眼鏡は、枠なし眼鏡レンズ４１の一方の側に結合部材４１１が設けられ、結合部材４１１の外端にはヒンジ部２０２が設けられている。磁気固定部材１０によりヒンジ部２０２の軸孔２０４内に装着される場合、枠なし眼鏡レンズ４１が眼鏡脚４２と組み合わせられた後、該枠なし眼鏡は前掛けレンズを掛着可能な効果を有する。
【００１３】
図５は、本考案に係る磁気固定部材が薄枠眼鏡に適用される様子を示す。該薄枠眼鏡は、眼鏡枠５１の一方の側に結合部５１１が形成されており、結合部５１１の外端にはヒンジ部２０２が設けられている。磁気固定部材１０が軸部材としてヒンジ部２０２の軸孔２０４内に装着される場合、眼鏡枠５１が眼鏡脚５２と組み合わせられた後、該薄枠眼鏡は前掛けレンズを掛着可能な効果を有する。
【００１４】
図６は、本考案に係る磁気固定部材１０の構造の他の実施例を示す。磁気固定部材１０は、第１の結合部材６１と、第２の結合部材６２と、磁石６３とを含み、第１の結合部材６１の頂面には凹溝６１１が設けられ、磁石６３は凹溝６１１内に固着されている。この実施例において、第１の結合部材６１の底部には軸ロッド６１２が設けられ、軸ロッド６１２には外ねじ山６１３が設けられている。第２の結合部材６２は、ねじ孔６２１を有するナットである。磁気固定部材１０の第１の結合部材６１が軸部材としてヒンジ部２０２の軸孔２０４と眼鏡脚の枢接部２０５とを通すとともに第２の結合部材６２と組み合わせられた後、眼鏡枠と眼鏡脚とを組み合わせることができ、該眼鏡は前掛けレンズを掛着可能な効果を有する。
【００１５】
上記のように、これらの実施の形態は本考案の好ましい実施例のみであり、本考案の特許請求の範囲に基づいてなされる等価の変更や修飾は、本考案の技術範囲に入るものである。
【００１６】
以上のように、本考案では、一方の側に軸孔を有するヒンジ部を含む眼鏡枠と眼鏡脚とを組み合わせるための磁気固定部材であって、第１の結合部材と、第２の結合部材と、磁石とを含み、前記第１の結合部材の頂面には凹溝が設けられ、前記磁石は前記凹溝内に固着されており、前記第１の結合部材及び第２の結合部材のいずれか一方は軸ロッドを含み、前記軸ロッドは、前記ヒンジ部の軸孔内に挿入可能でありかつ前記第１の結合部材及び第２の結合部材のいずれか他方と組み合わせることで、前記磁石は前記ヒンジ部の頂面に位置付けられ、前掛け眼鏡と結合されることを特徴とする各種の前掛け眼鏡に適用される磁気固定部材とするものである。
【００１７】
また、前記第１の結合部材の底部にはねじ孔が設けられ、前記ねじ孔内には内ねじ山が設けられており、前記第２の結合部材には前記軸ロッドが設けられ、前記軸ロッドには前記内ねじ山と結合可能な外ねじ山が設けられているものとする。
【００１８】
また、前記第１の結合部材の底部には前記軸ロッドが設けられ、前記第２の結合部材は、ねじ孔を有するナットであり、前記軸ロッドには前記ねじ孔と結合可能な外ねじ山が設けられているものとする。
【産業上の利用可能性】
【００１９】
本考案に係る磁気固定部材によれば、眼鏡枠と眼鏡脚とを組み合わせることができるため、眼鏡に前掛けレンズを掛着可能な機能を有し、又、一般の眼鏡の固着ねじに代わる機能を有するため、一般の眼鏡も前掛けレンズを掛着可能な効果を有する。
【符号の説明】
【００２０】
１０  磁気固定部材
１１  第１の結合部材
１１１  凹溝
１１２  ねじ孔
１１３  内ねじ山
１２  第２の結合部材
１２１  軸ロッド
１２２  外ねじ山
１３  磁石
２０  眼鏡
２０１  眼鏡脚
２０２  ヒンジ部
２０３  眼鏡枠
２０４  軸孔
２０５  枢接部
３０  前掛けレンズ
３１  延長アーム
３２  磁気部材
４１  枠なし眼鏡レンズ
４１１  結合部材
４２  眼鏡脚
４２１  枢接部
５１  眼鏡枠
５１１  結合部
５２  眼鏡脚
５２１  枢接部
６１  第１の結合部材
６１１  凹溝
６１２  軸ロッド
６１３  外ねじ山
６２  第２の結合部材
６２１  ねじ孔
６３  磁石
【図１】
0003208376.tif 000003
【図２】
0003208376.tif 000004
【図３】
0003208376.tif 000005
【図４】
0003208376.tif 000006
【図５】
0003208376.tif 000007
【図６】
0003208376.tif 000008